(57)【特許請求の範囲】
【請求項１】
生地、マーキング図、縫い方の手順を説明する説明書を含んで構成され、前記生地からミシンを用いた所定のソーイング工程を経て完成品としてのデザインを得るための、または、その得る工程を体験するための洋裁キットを客に販売する洋裁キット販売店舗であって、
前記洋裁キットを収納する洋裁キット収納棚と、
前記客が前記洋裁キットの生地を用いたソーイングを体験することを可能としたミシンと、
該ミシンが載置されたミシン台と、
前記洋裁キットの生地に対する前記ミシンを用いたソーイング工程を記録する記録媒体を再生する再生手段と、を備えることを特徴とする洋裁キット販売店舗。
【請求項２】
生地を収納する生地収納棚を更に備えることを特徴とする請求項１記載の洋裁キット販売店舗。
【請求項３】
前記ミシンと前記記録媒体の少なくとも１つを収納する収納棚を更に備えることを特徴とする請求項１記載の洋裁キット販売店舗。
【発明の詳細な説明】
【０００１】
【発明の属する技術分野】
本発明は、洋裁キットを販売するショップ（店舗）に関し、特に、省スペース化が可能な洋裁キットショップ（洋裁キット販売店舗）に関する。
【０００２】
【従来の技術】
現在は、若い人達の洋裁離れが深刻化している時代といえる。例えば、短大、高校において、被服科や家庭科が生徒不足から閉鎖される、という話も聞く。
こうした状況の中で、洋裁を魅力あるものとしてアピールし、洋裁人口の減少をくい止めることが、望まれている。
【０００３】
この目的で従来、洋裁教室を開いて、そこで、ソーイングの方法をミシンを使って教えることが行われてきた。しかし、教室の場合、どんなに小規模でも１０坪（３３ｍ２）くらいのスペースは必要である。このため、どこにでも設置できるというものでもない。また、出店のコストも高い。
【０００４】
【発明が解決しようとする課題】
上述したように、従来、洋裁を教える場合は洋裁教室を開くなどしていた。この洋裁教室は、１０坪以上のスペースを必要とするため、どこにでも設置できるというものでもない。設置する場所が限られてくるということは、宣伝効果についても、その設置される場所に応じて当たりはずれがあることになる。
【０００５】
本発明の課題は、小さなスペースで、客に洋裁に対する興味を持たせ、その場でソーイング体験ができるショップ（店舗）を提供することである。
【０００６】
【課題を解決するための手段】
本発明の第１態様の洋裁キット販売店舗は、生地、マーキング図、縫い方の手順を説明する説明書を含んで構成され、前記生地からミシンを用いた所定のソーイング工程を経て完成品としてのデザインを得るための、または、その得る工程を体験するための洋裁キットを客に販売する洋裁キット販売店舗であって、前記洋裁キットを収納する洋裁キット収納棚と、前記客が前記洋裁キットの生地を用いたソーイングを体験することを可能としたミシンと、該ミシンが載置されたミシン台と、前記洋裁キットの生地に対する前記ミシンを用いたソーイング工程を記録する記録媒体を再生する再生手段と、を備えることを特徴とする洋裁キット販売店舗である。
【０００７】
ここで、上記洋裁キット販売店舗は、洋裁キットや、ミシン、これらを用いて所定のデザイン（例えば、Ｔシャツやトレーナーなど）を作るソーイング方法を記録した記録媒体を再生する再生手段を配置して構成される。そして、客は、洋裁キットやミシンを用いてソーイングを体験するに際し、上記再生手段によって再生されたソーイング方法を参照することができる。
このような構成は、例えば、１坪〜５坪くらいの売り場面積内に配置可能であり、よって、小さな売り場面積内に上記洋裁キット販売店舗を出店することができる。
【０００８】
尚、売り場面積は上記した値以外の値であってもよい。また、上記ソーイング方法を記録する記録媒体としては、例えば、ビデオやＤＶＤなどがある。
また、客は、ソーイング方法を記録した上記記録媒体を上記再生手段により再生することで、ミシンを用いるなどしてソーイングを体験することができる。
【０００９】
このことにより、客は洋裁に対し興味をもつ。そして、場合によっては、例えば上記洋裁キット、生地等を購入する。
さらに、上記洋裁キットショップは、売り場面積が小さくて済むため、多くの人が集まる場所（例えば、量販店の中）でも、出店するスペースを確保することができる。このため、例えば系列の洋裁教室に対する宣伝効果を高めることもできる。すなわち、客はこの洋裁キットショップでのソーイング体験を通して、洋裁教室の存在を知る。洋裁キットショップでは、例えば簡単に作れるＴシャツやトレーナー、洋裁教室では、より複雑な工程で作成する例えば前開きカーディガンなどを作るなどして役割を分担してもよい。尚、上記洋裁教室を例えば量販店の中などに設けられた汎用のスペースに一時的に出店することも可能である。
【００１０】
本発明の第２態様では、上記第１態様に対し、生地を収納する生地収納棚を更に備える構成である。客は、生地収納棚の生地についても、ソーイングを体験するに際し、用いることができる。
洋裁キット販売店舗でソーイング体験をする客は、１つのデザインに対し、複数の異なる生地を試してみたいという欲求がある。生地収納棚はこのような客の欲求をサポートするために設けられている。客は、生地収納棚に収納される生地も購入することができる。
【００１１】
本発明の第３態様では、上記第１態様に対し、前記ミシンと前記記録媒体の少なくとも１つを収納する収納棚を更に備える構成である。客は、ミシンまたは記録媒体についても購入することができる。
【００１２】
本発明の第４態様では、上記第１態様に対し、洋裁キットは、生地と、マーキング図と、縫い方の手順を説明する説明書との少なくとも１つを含む構成である。
【００１３】
【発明の実施の形態】
以下、本発明の実施の形態を図面を参照しながら説明する。
＜第１の実施形態＞
本実施形態において、客は洋裁キットショップに来店し、そこで、ソーイング体験をする。そして、必要であれば、洋裁キットショップで販売している商品を購入する。
【００１４】
図１は、本実施形態の洋裁キットショップの斜視図である。また、図２はこの洋裁キットショップを上から見た図である。
図１に示すように、本実施形態の洋裁キットショップ１は、生地２を収納する生地収納棚３と、洋裁キット４を収納（載置）する棚１１と、ミシン５と、ソーイング方法を記録したビデオやＤＶＤなどの記録媒体６を再生する再生装置８を備えている。
【００１５】
生地収納棚３には、生地が収納されている。客は、所定のデザインの服を何通りかの異なる素材で縫いたい場合に、生地収納棚３から、異なる素材を選んで、その素材で所定のデザインの服を縫って、出来上がりを比較する。
また、客に限らず、例えば洋裁キットショップの店員が生地収納棚３の生地２や、洋裁キット４に含まれる生地を用いて上記ミシン５で所定のデザインの服を縫って実演することもできる。
【００１６】
尚、生地収納棚に収納される生地は、裁断されている生地、裁断されていない生地のいずれでもよい。
尚、洋裁キットショップ１は、生地収納棚３を備えない構成でもよい。
また、ディスプレイネット９上に完成したサンプル作品１０がディスプレイされているような構成であってもよい。
【００１７】
また、洋裁キットショップ１は、上記記録媒体６を収納する収納棚７を備えていることが望ましい。尚、収納棚７には、上記記録媒体６の他に、ソーイング方法が記載されている本や、ミシン５などが収納されていてもよい。
また、図２に示すように、上記ミシン５としては、伸縮性のある素材を扱う場合には、縫い合わせを行うロックミシン５ａと、この後工程としての始末を行う直線ミシン５ｂとが揃っていることが望ましい。尚、直線ミシン５ｂ以外のものであっても後工程の始末が行えればよい。
【００１８】
洋裁キットショップ１で販売する洋裁キット４は、生地と、マーキング図（型紙）と、縫い方の手順の説明書を含んで構成される。縫い方の手順の説明書に記載されている内容は、上記記録媒体に記録されているものとほぼ同じである。但し、内容としては、若干簡略化されていてもよい。尚、生地は裁断されている生地、裁断されていない生地のいずれでもよい。
【００１９】
デザインとそのデザインに適する生地とを対応付けることは、洋裁を学ぶ場合に知る必要がある知識である。しかし従来、このようにデザインとそのデザインに適する生地とを対応付けることは行われてこなかった。この問題点を考慮し、上記洋裁キット４は、デザイン毎にそのデザイン（例えばＴシャツ、トレーナーなど）に適した素材の生地が入っている。
【００２０】
以下で、本実施形態の洋裁キットショップの動作について説明する。
客は、洋裁に興味を持ち、この洋裁キットショップ１に来店する。そして、再生装置８で再生されているビデオやＤＶＤなどの記録媒体６の再生画像を見て、例えば「洋裁は楽しく簡単にできる」「Ｔシャツやトレーナーならすぐできる」という感想を持ち、さらに「私もちょっとつくってみよう」という意識を持つ。
【００２１】
本実施形態では、客は、その場で、ソーイング体験を実行に移せる。これは、本実施形態の洋裁キットショップにおいては、洋裁キットやミシンはわずかなスペース内に揃っているからである。このため、客は、その場で上記ビデオを見ながら（またはソーイングの本を読みながら）ソーイングを実行して、Ｔシャツやトレーナーを作ることができる。
【００２２】
また、本実施形態の洋裁キットショップは、小さいスペースがあれば、出店できる。例えば、人がよく集まる量販店の中など、宣伝効果が高い場所にも出店できる。このため、洋裁キットショップのみならず、この洋裁キットショップの系列店である洋裁教室への宣伝効果もある。
【００２３】
上記ビデオに録画されている編成工程を以下に簡単に説明する。
洋裁キットショップでは、客はニットなどの伸縮性がある素材でＴシャツなどを作る。このため、前身頃と後ろ身頃の肩ラインなどの切った端をロックミシン５ａにより縫い合わせる。このようにしないと、ニットなどの伸縮性のある素材では、原型がとどまらない。
【００２４】
このような編成工程を経て、例えばＴシャツが縫いあがる。
尚、デザインはＴシャツに限らない。また、一般に上記記録媒体６などに記録される編成工程は、工程を簡略化するなどの制限を設ける必要はないが、客がその場でソーイングの体験をするという事情を考慮した場合、編成工程は簡略化されていることが望ましい。例えば、ロックミシンによる縫い合わせの際に身頃同士を洗濯ばさみ等の着脱自在な固定具で一時的に止めるなどの工夫を行うことで上記編成工程は簡略化できる。
【００２５】
また、客はわからないところがあれば、洋裁キットショップの店員（販売員）からアドバイス（指導）を受けることも可能である。
尚、本実施形態の洋裁キットショップがフランチャイズされている場合、フランチャイズ本部から派遣されたインストラクターが上記店員を兼ねることも可能である。その際、客は上記インストラクターからわからないところのアドバイスを受けることもできる。
【００２６】
また、上記フランチャイズ本部は、洋裁キットショップの店員の教育を、デザインの対象を例えば、「Ｔシャツ」や「トレーナー」のように比較的、簡単な工程で作れるものに限定して行ってもよい。
また、客は後日、洋裁キットショップの系列の洋裁教室に行き、そこで、ソーイングを体験することもできる。この際、キット購入者に優先的に指導することも可能である。
【００２７】
また、上記洋裁キットショップは、洋裁キットの他に、ニットソーイングの方法の書かれた本や、ニットソーイングの方法が録画されたビデオやＤＶＤ等の記録媒体、生地収納棚に収納されている生地などを販売してもよい。
更に、上記洋裁キットショップの店員やインストラクターなどの所定の技能を有するものが、上記のミシン等を用いて作成したデザインを本実施形態の洋裁キットショップで販売してもよいし、他の場所で作成されたデザインを本実施形態の洋裁キットショップで販売してもよい。
【００２８】
また、洋裁キットショップのレイアウトは、図１に限られるものではない。例えば、図３（ａ）及び（ｂ）に示すようなレイアウトの変形例も考えられる。
＜第２の実施形態＞
上記第１の実施形態においては、客は洋裁キットショップに来店して、洋裁キットを購入するという構成であったが、本実施形態では、インターネット等のネットワークを介して、洋裁キットなどの商品を通信販売で購入するものである。
【００２９】
図４に、この通信販売システムの概略構成図を示す。同図において、端末２１にいる商品の購入者である客と、端末２２にいる商品の販売者とはネットワークを介して相互に接続されている。販売者はインターネット上に開設したホームページ等により商品カタログ等を提示している。この商品カタログ中には上述した洋裁キットや、ソーイング方法の書かれた本や、ソーイング方法の録画されたビデオやＤＶＤなどの記録媒体、生地などが含まれている。商品の購入者である客は、ホームページにアクセスして購入リクエスト２３を出す。そして、売買契約が成立する。その後、客は販売者に商品の代金を送金し、販売者は客に商品を発送する。
【００３０】
【発明の効果】
以上、説明したように、本発明では、洋裁キットショップをわずかなスペースで提供することが可能である。例えば１坪〜５坪くらいのスペースで提供できる。また、上記スペースは、それ以外の値であってもよい。
【００３１】
また、本発明では、洋裁キットショップには、わずかなスペースしか必要ないので、ショップ展開がしやすい。
また、本発明の洋裁キットショップは、ミシン、またはビデオやＤＶＤ等の記録媒体に記録されたソーイング方法を再生する再生装置を備える構成であり、その場でソーイング体験ができる。
【００３２】
さらに、本発明の洋裁キットショップは、わずかなスペースでも出店できるため、例えば、人がよく集まる量販店の中など、宣伝効果が高い場所にも出店できる。このため、洋裁キットショップのみならず、この洋裁キットショップの系列店である洋裁教室への宣伝効果もある。
【図面の簡単な説明】
【図１】第１の実施形態の洋裁キットショップの斜視図である。
【図２】第１の実施形態の洋裁キットショップを上から見た図である。
【図３】（ａ）第１の実施形態の洋裁キットショップの配置の第１の変形例である。
（ｂ）第１の実施形態の洋裁キットショップの配置の第２の変形例である。
【図４】第２の実施形態における通信販売システムの概略構成図である。
【符号の説明】
１  洋裁キットショップ
２  生地
３  生地収納棚
４  洋裁キット
５  ミシン
６  記録媒体
７  収納棚
８  再生装置
９  ディスプレイネット
１０  サンプル作品
１１  棚
２１，２２  端末
２３  購入リクエスト
【図１】
0003972115.tif 000002
【図２】
0003972115.tif 000003
【図３】
0003972115.tif 000004
【図４】
0003972115.tif 000005